(57)【要約】      （修正有）【課題】冊子の形態に依存することなく様々な種類の冊子を複数収納できると共に、このような収納状態においても、それぞれの冊子を容易に見開くことが可能な冊子収納用具を提供する。【解決手段】複数のシートを冊子状に設けて複数のページを有する見開き可能な冊子状シートを形成し、冊子状シートのいずれかのページを開いた状態における左右のシートそれぞれの小口側端部の一方には冊子の表紙２００ａを、他方には冊子の裏表紙２００ｂをそれぞれ係止可能な係止部４００を設けた。【選択図】図１
0003191486.tif 000002
【実用新案登録請求の範囲】
【請求項１】
複数のシートを冊子状に設けて複数のページを有する見開き可能な冊子状シートを形成し、該冊子状シートのいずれかのページを開いた状態における左右のシートそれぞれの前小口側端部の一方には冊子の表紙を、他方には該冊子の裏表紙をそれぞれ係止可能な係止部が設けられていることを特徴とする冊子収納用具。
【請求項２】
前記冊子状シートは、全てのページを開いた状態において前記係止部が設けられていることを特徴とする請求項１記載の冊子収納用具。
【請求項３】
前記係止部は前記冊子状シートを開いた状態における左右のシートそれぞれの前小口側端部の全域に設けられ、冊子の表紙と裏表紙それぞれの前小口側端部の全領域を所定幅に渡って収容して冊子を係止することを特徴とする請求項１または請求項２記載の冊子収納用具。
【請求項４】
前記冊子状シートの表紙と裏表紙との間に位置するシートと、当該シートに隣接するいずれかのシートとで見開き可能な一対の組が形成され、
前記一対の組は、前記冊子状シートにおける背部に着脱自在に連結されていることを特徴とする請求項１〜３のいずれか１項に記載の冊子収納用具。
【請求項５】
前記シートは屈曲可能なフレキシブルシートよりなることを特徴とする請求項１〜４のいずれか１項に記載の冊子収納用具。
【請求項６】
前記シートは透過性を有することを特徴とする請求項１〜５のいずれか１項に記載の冊子収納用具。
【考案の詳細な説明】
【技術分野】
【０００１】
本考案は、冊子を収納する冊子収納用具に関する。
【背景技術】
【０００２】
ノートや雑誌、教科書といった冊子を収納するものとして、例えば、特許文献１や特許文献２に示されるものがある。特許文献１に示されるものは、ホルダ本体に、複数の袋状の収納部が形成されたものである。収納部は、ホルダ本体における表シートと裏シートとを仕切る仕切りシートを、当該表シートに溶着することにより形成されている。この複数の収納部に、それぞれ記録媒体や冊子を収納することができるため、持ち運び可能な収納管理を実現している。
【０００３】
また、特許文献２に示されるものは、１つまたは複数の冊子と結合されることで冊子を保護するものである。結合する冊子は、コイル綴じノートを対象としており、本体であるカバーの表紙と裏表紙との間に設けられた一対の固定部材に装着される挿入ロッドを、当該ノート背部に挿入することで冊子を結合している。この挿入ロッドを複数備えることにより、カバー内に複数の冊子を収納することを実現している。
【先行技術文献】
【特許文献】
【０００４】
【特許文献１】特開２００５−２９８０３３号公報
【特許文献２】特開２０１４−００８７８０号公報
【考案の概要】
【考案が解決しようとする課題】
【０００５】
しかしながら、特許文献１に記載されたものは、単に冊子を複数収納するに留まるため、例えば次々に冊子を閲覧したいといった場合には、その対度、冊子を取り出す必要があり、作業が非常に煩雑なものとなる問題があった。一方、特許文献２に記載されたものは、冊子を収納した状態においても冊子の閲覧が可能であるが、収納する冊子は、挿入ロッドを挿入可能な背部を有するものに限られるという問題があった。
【０００６】
そこで、本考案は、このような問題に鑑みてなされたもので、その目的とするところは、冊子の形態に依存することなく様々な種類の冊子を複数収納できると共に、このような収納状態においても、それぞれの冊子を容易に見開くことが可能な冊子収納用具を提供することにある。
【課題を解決するための手段】
【０００７】
上記課題を解決するために、本考案は、複数のシートを冊子状に設けて複数のページを有する見開き可能な冊子状シートを形成し、該冊子状シートのいずれかのページを開いた状態における左右のシートそれぞれの前小口側端部の一方には冊子の表紙を、他方には該冊子の裏表紙をそれぞれ係止可能な係止部が設けられていることを特徴とする。
【考案の効果】
【０００８】
本考案によれば、冊子の特異な構成に依存することなく様々な種類の冊子を複数収納できると共に、このような収納状態においても、それぞれの冊子を容易に見開くことが可能な冊子収納用具を提供することができる。なお、本考案のその他の効果については、以下の考案を実施するための形態の項でも説明する。
【図面の簡単な説明】
【０００９】
【図１】実施の形態１に係る冊子収納用具の斜視図である。
【図２】実施の形態１に係る冊子収納用具の概略平面図である。
【図３】背部の構成を模式的に示す背部の平面部分断面図である。
【図４】実施の形態１に係る冊子収納用具を見開いた状態を示す図である。
【図５】実施の形態１に係る冊子収納用具が冊子を収納した状態を説明するための図である。
【図６】冊子と共に冊子収納用具を見開いた状態を示す図である。
【図７】複数の冊子を収容した状態における冊子収納用具の斜視図である。
【図８】インデックスが設けられた冊子収納用具を見開いた状態を示す図である。
【図９】実施の形態２に係る冊子収納用具を見開いた状態を示す図である。
【図１０】実施の形態３に係る冊子収納用具の背部の構成を模式的に示す背部の上面断面図である。
【考案を実施するための形態】
【００１０】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１１】
（第１の実施形態）
本考案の実施の形態に係る冊子収納用具１００の構成について、図１〜図４を適宜参照しながら説明する。本実施形態の冊子収納用具１００は、複数のシート部材が互いに接合されて綴じられることで所謂冊子状に形成されている。大まかには、図１及び図２に示されるように、冊子収納用具１００は、外側に位置するよう設けられた外部シート２００と、当該外部シート２００の内側に位置するよう設けられた複数の内部シート３００と、を有する。この外部シート２００及び内部シート３００には、冊子を係止するための係止部４００が設けられている。冊子収納用具１００は、これら外部シート２００や内部シート３００（以後、これらを区別しない場合は単にシートと称する）の間に冊子が挿入されると共に、冊子が係止部４００により係止されることにより、複数の冊子を収納するものである。以下に、これら各構成要素の詳細を説明する。
【００１２】
（外部シート２００）
外部シート２００は、容易に屈曲可能な長方形のフレキシブルシートであり、冊子状に形成された冊子収納用具１００の表紙、裏表紙、背を形成するよう、その長手方向がコの字状に折り曲げられた形状をなしている。より具体的には、図３に示されるように、冊子収納用具１００の表紙および裏表紙を形成する表紙２００ａおよび裏表紙２００ｂと、表紙２００ａおよび裏表紙２００ｂの間に位置して、冊子収納用具１００の背を形成する背部２００ｃとからなる。外部シート２００の短手方向（冊子収納用具１００の天側から地側にかけての天地方向）の長さは、収納する冊子の天地方向の長さ以上とすることが好ましい。表紙２００ａ及び裏表紙２００ｂの短手方向（冊子収納用具１００の前小口側から背部２００ｃにかけての水平方向）の長さも同様に、収納する冊子の水平方向の長さ以上とすることが好ましい。なお、これらの長さは、例えば収納する冊子の天地方向、水平方向それぞれの長さよりやや大きい長さに設定し、冊子を容易に冊子収納用具１００に収容でき、且つ収納した際に容易に持ち運べるような大きさとすることが好ましい。
【００１３】
図３に示すように、背部２００ｃには、内部シート３００を接合するための接合シート５００が２箇所の接合部Ａ，Ａで接合されている。接合シート５００は、容易に屈曲可能な長方形のフレキシブルシートであり、その短手方向（冊子収納用具１００の束幅方向）に所定の長さを有する。この所定の長さは、冊子収納用具１００の束幅以下で且つ内部シート３００を複数接合可能な長さが好ましい。また、接合シート５００は、長手方向（天地方向）に外部シート２００または内部シート３００と同一の長さを有することが好ましい。接合部Ａは、この接合シート５００が容易に外れないよう、天地方向にかけて一様に接合されることが好ましい。
【００１４】
図１，図２に示されるように、表紙２００ａの内側の面（表紙２００ａの裏表紙２００ｂ側の面）における、前小口側（背部２００ｃと対向する側）端部に、係止部４００が設けられている。同様に、裏表紙２００ｂの内側の面（裏表紙２００ｂの表紙２００ａ側の面）における、前小口側端部に、係止部４００が設けられている。係止部４００についての詳細は、後述する。
【００１５】
（内部シート３００）
内部シート３００は、外部シート２００と同様、容易に屈曲可能な長方形のフレキシブルシートであり、冊子状に形成された冊子収納用具１００の中本に相当するものである。本実施の形態においては、内部シート３０１〜３０３の３枚の内部シート３００が設けられている。図３に示されるように、内部シート３０１は、コの字状に折り曲げられた形状をなし、その中腹部分３０１ｃが、接合シート５００に２箇所の接合部Ｂ，Ｂで接合されている。同様に、内部シート３０２は、コの字状に折り曲げられた形状をなし、その中腹部分３０２ｃが、内部シート３０１の中腹部分３０１ｃに２箇所の接合部Ｃ，Ｃで接合されている。一方、内部シート３０３は、その一端部３０３ｃが、内部シート３０２の中腹部分３０２ｃに１箇所の接合部Ｄで接合されている。これらの接合部Ｂ〜Ｄは、内部シート３０１〜３０３のそれぞれが容易に外れないよう、天地方向にかけて一様に接合されることが好ましい。
【００１６】
以上のように、内部シート３００は、接合シート５００または他の内部シート３００を介して外部シート２００の背部２００ｃに連結されている。外部シート２００、内部シート３００、接合シート５００が共に屈曲自在であるため、図４に示されるように容易に見開くことが可能となる。この連結された冊子状態において、内部シート３００は、前小口側に垂直な面を有するシート部分を形成し、換言すると、冊子収納用具１００において所謂ページシートを形成する。より具体的には、内部シート３０１は、表紙２００ａ側のページシート３１１ａと、裏表紙２００ｂ側のページシート３１１ｂとを形成する。内部シート３０２は、表紙２００ａ側のページシート３１２ａと、裏表紙２００ｂ側のページシート３１２ｂとを形成する。内部シート３０３は、表紙２００ａ側のページシート３１３ａを形成する。図４には、ページシート３１３ａと、ページシート３１２ｂとの間が見開かれた状態が示されている。
【００１７】
内部シート３００の短手方向（天地方向）の長さは、外部シート２００の天地方向の長さ以下とすることが好ましく、同一とすることがより好ましい。同様に、ページシートの水平方向の長さは、外部シート２００の表紙２００ａおよび裏表紙２００ｂにおける水平方向の長さ以下とすることが好ましく、同一とすることがより好ましい。
【００１８】
なお、表紙２００ａおよび裏表紙２００ｂとページシートとの間隔および隣接する２枚のページシート間の間隔は、冊子の背幅（または束幅）と同等かそれ以上とすることが好ましい。しかしながら、この間隔が冊子の背幅（または束幅）より狭い場合であっても、各シートが屈曲可能なフレキシブルシートであるため、フレキシブルシートが当該冊子の形状に即して湾曲することにより、この間隔の狭さを補うことは言うまでもない。
【００１９】
また、図１，図３，４に示されるように、内部シート３００には、ページシート両面の前小口側端部に係止部４００が設けられている。係止部４００についての詳細は、次に述べる。
【００２０】
（係止部４００）
係止部４００は、外部シート２００及び内部シート３００と同様に、容易に屈曲可能な長方形のフレキシブルシートである。係止部４００は、図４に示されるように、冊子収納用具１００のページを開いた状態における左右のページシートそれぞれの前小口側端部のそれぞれの一方で冊子の表紙を係止し、他方で当該冊子の裏表紙を係止するものであり、図４においては、ページシート３１３ａと３１２ｂとの間を開いた状態で示している。本実施の形態においては、係止部４００は、表紙２００ａの内側、裏表紙２００ｂの内側および全てのページシート両面に設けられている。即ち、係止部４００は、全てのページを開いた状態において各々のページシートの前小口側端部に設けられている。
【００２１】
より具体的には、係止部４００は、ページシート両面の前小口側端部の一面を覆うように当該ページシートに接合されており、その短手方向（水平方向）に平行な縁部の一方が、ページシートの前小口側端部における天小口側縁部と接合され、他方がページシートの前小口側端部における地小口側縁部と接合されている。また、係止部４００の長手方向（天地方向）に平行な縁部の一方が、ページシートの前小口側縁部と接合され、他方は接合されていない。つまり、当該他方の縁部がページシートと接合されず、その他の３方の縁部がページシートと接合されるため、係止部４００とページシートとで、背部２００ｃ側に開口を有する袋状をなしている。これは、外部シート２００の表紙２００ａ内側、裏表紙２００ｂ内側も同様である。なお、図１、図２、図４に示される４０１は、この接合箇所を示している。また、ここでの前小口側端部とは、前小口側から背側に向かってシートの半分までを占めている領域を指す。もちろん、前小口側端部はこれに限定されるものではなく、冊子を係止可能な広さを有する領域であればよい。
【００２２】
以上に説明した、外部シート２００、内部シート３００、係止部４００、接合シート５００は、例えば、ＰＶＣ（Polyvinyl chloride）、ＰＰ（Polypropylene）、ＰＥ（Polyethylene）、ＰＳ（Polystyrene）、ポリオレフィンといったプラスチック素材よりなるシートであって、何れも光透過性を有する屈曲可能なシートで構成することが好ましい。なお、プラスチック素材に限定する必要はなく、冊子を支持可能なシート部材であれば、布や紙、革、木材、金属板等、どのような部材を用いてもよい。また、各シートの接合方法は、各シートが接合可能であればどのような手法を用いてもよい。例えば、熱溶着や接着剤による接着等が挙げられる。
【００２３】
（冊子収納用具１００の作用）
冊子収納用具１００の作用について、図５〜７を参照しながら説明する。ここでは、内部シート３０３のページシート３１３ａと、内部シート３０２のページシート３１２ｂとの間に冊子を収納する場合を例に取り、説明を行う。図５に示されるように、冊子６００は、ページシート３１３ａとページシート３１２ｂとの間に位置すると共に、その背が背部２００ｃに近接するように挿入された状態で、冊子６００の表紙６００ａと裏表紙６００ｂそれぞれの前小口側端部が係止部４００へ差し込まれる。この状態で、係止部４００により、冊子の表紙６００ａと裏表紙６００ｂそれぞれの前小口側端部の全領域が、係止部４００の水平方向の幅に渡って収容され係止される。このように、冊子の表紙と裏表紙それぞれの前小口側端部が係止部４００により係止されることにより、冊子が脱落することを防止している。
【００２４】
以上のように、本実施の形態によれば、冊子の表紙および裏表紙を係止部４００により係止して保持することにより、図６に示されるように、２枚のページシート間に１冊の冊子６００を簡便に且つ見開き可能に収納できる。また、リング綴じノートや用紙の一端部のみが接合されたキャンパスノートといった冊子の背の形態が異なる多種多様の冊子を、冊子の背の形態によらず収納することができる。これを各シート間で繰り返すことにより、図７に示されるように、複数の冊子を収納することが可能である。また、冊子収納用具１００は、冊子と同程度の寸法であり、複数の冊子を一纏めにして容易に持ち運ぶことができるため、例えば学校等で教科に用いる複数の冊子のうちの１冊を忘れるといった問題を解消することが可能となる。一方、冊子を抜き取る場合においても、単に冊子の表紙および裏表紙を係止部４００から引き抜くのみでよく、その作業は極めて簡便である。
【００２５】
また、各シートが屈曲可能なフレキシブルシートよりなるため、表紙２００ａおよび裏表紙２００ｂとページシートとの間隔や、隣接する２枚のページシート間の間隔が冊子の背幅（または束幅）より狭い場合であっても、フレキシブルシートが当該冊子の形状に即して湾曲することにより、この間隔を補うことができる。即ち、係止部４００により冊子が係止可能でさえあれば、背部２００ｃを超過する厚みの背（または束）の冊子を収納することができる。更に、各シートに透過性部材を用いることにより、冊子が複数収納された状態であっても、どの冊子が収納されているのかを容易に視認することが可能となる。
【００２６】
（応用例）
本実施の形態においては、１枚のページシート両面に係止部４００が設けられているため、複数の冊子を収納した場合、隣り合う冊子の表紙同士が向かい合せに収容されることになり、冊子の表紙を視認できない。そのため、図８に示されるように、各ページシートにインデックス７００を設けるようにしてもよい。インデックス７００を設けることにより、どのような冊子を収納しているのか容易に把握することが可能となる。また、冊子の表紙を視認することができるように、係止部４００を設けるページシートと設けないページシートとを交互に形成してもよい。例えば、１〜２ページを見開いた状態でシート両端部に係止部４００を設け、３〜４ページ目を見開いた状態でシート両端部に係止部４００を設けず、５〜６ページを見開いた状態でシート両端部に係止部４００を設け、これを繰り返すようにしてもよい。即ち、ページシートには何れか一方の面のみに係止部４００が設けられることになる。こうすることで、隣り合う冊子の表紙を見開き可能にすることができ、冊子の表紙を容易に視認することができる。
【００２７】
また、本考案においては、表紙２００ａ、裏表紙２００ｂ、及び背部２００ｃは同一素材で一体に形成されたものであるが、これらを異なる素材で、および別体に形成してもよい。これは内部シート３００およびページシートにおいても同様である。例えば、これらの素材としては金属、木材といった硬質なものやプラスチックといった可撓性を有するものを用いることもでき、この場合、表紙２００ａや裏表紙２００ｂ、ページシートを左右に開くことができるように連結することが好ましい。換言すれば、これらの素材としては、表紙２００ａと裏表紙２００ｂとが背部２００ｃに見開き可能に連結されると共に、ページシートと接合箇所Ａ〜Ｄとが見開き可能に連結されることができるものであれば、どのようなものを用いても良い。
【００２８】
また、本考案においては、冊子収納用具１００が３枚の内部シート３０１〜３０３を有すると説明したが、内部シート３００の数はこれに限定されるものではなく、収納する冊子の幅、量に応じて、冊子収納用具１００の束幅と共にその数を適宜設定することができる。また、内部シート３０３は、内部シート３０１、３０２と同様、コの字状に折り曲げられた形状をなし、その中腹部分が、中腹部分３０２ｃに２箇所で接合されるようにしてもよい。
【００２９】
（第２の実施形態）
第１の実施形態では、係止部４００がシートの前小口側端部の一面を覆うように当該シートに設けられているとして説明を行った。しかしながら、係止部４００に代わり、図９に示されるような、シートの前小口側端部の一部を覆う係止部４００ａを設けるようにしてもよい。
【００３０】
本実施の形態に係る冊子収納用具１００ａが有する係止部４００ａは、各シートの前小口側と地小口側との角部を基点とした扇型または三角形型の形状をなしており、各シートの前小口側縁部と地小口側縁部とに接合されている。係止部４００ａがこのような形状であっても、リング綴じノートやキャンパスノートといった冊子の構成に囚われることなく、多種多様なノートを見開き可能に且つ複数収納できる。なお、係止部４００と係止部４００ａとを適宜組み合わせて冊子収納用具を構成するようにしてもよい。例えば、表紙２００ａ及び裏表紙２００ｂの内側のみに係止部４００ａを設け、内部の複数のページシートに係止部４００のみを設けたり、表紙２００ａ及び裏表紙２００ｂ近傍の複数のページシートに係止部４００ａを設け、他の複数のページシートに係止部４００を設けたり、係止部４００が設けられたページと係止部４００ａが設けられたページとが交互に見開かれるよう、係止部４００の組と係止部４００ａの組とを交互に設けたり、ページを見開いた際の右側のページシートには係止部４００を設け、左側のページシートには係止部４００ａを設ける等、その態様は様々である。
【００３１】
また、冊子の表紙または裏表紙の天小口側端部を係止する係止部４００ｂを適宜設けるようにしてもよい。係止部４００ｂは、図９に示されるように、その一端のみがページシートの天小口側縁部に接合されている。係止部４００ｂは、一端のみが接合されているため、冊子の表紙または裏表紙を係止可能な強度を持ったプラスチック板といった板部材で形成されることが好ましい。
【００３２】
（第３の実施形態）
第１の実施形態では、内部シート３００同士、および内部シート３００と接合シート５００との間が接合されていると説明を行った。この場合、内部シート３００を外部シート２００から取り外すことはできない。しかしながら、内部シート３００を着脱自在に外部シート２００へ接合するようにしてもよい。本実施の形態では、隣接する２枚のページシートで見開き可能な一対の組が形成され、この一対の組を開いた状態において係止部４００が設けられると共に、この一対の組が着脱自在に連結される冊子収納用具１００ｃを説明する。
【００３３】
図１０に示されるように、本実施の形態に係る冊子収納用具１００ｂは、外部シート２００の背部２００ｃに、被結合シート８０１が設けられている。内部シート３００には、その中腹部分３０１ｃ，３０２ｃ，３０３ｃそれぞれに、被結合シート８０１に結合可能な結合部８０２が設けられており、結合部８０２を介して当該被結合シート８０１に連設されている。即ち、実施の形態１と異なり、内部シート３００同士は接合されていない。
【００３４】
被結合シート８０１および結合部８０２は、互いに結合可能な部材よりなり、例えば、マジックテープ（登録商標）といった面ファスナーにおけるフックおよびループや、互いに引き寄せあう磁石といった磁性材料等を用いることが好ましい。また、被結合シート８０１は、容易に屈曲可能な長方形のフレキシブルシートよりなることが好ましく、その形状は、図３に示される接合シート５００と同様とすることが好ましい。一方、結合部８０２は、このような被結合シート８０１と接合可能な形状であればよく、例えば、天地方向にかけて一様に延びる長方形をなすことが好ましい。
【００３５】
このように、被結合シート８０１および結合部８０２を用いて、内部シート３００のそれぞれを外部シート２００に連結することにより、冊子を収納した状態を維持したまま、内部シート３００ごと容易に取り外すことが可能となる。なお、この場合、内部シート３００ごと冊子を取り外すという観点から、係止部４００は、ページシートにおける内側面（互いに対向する面）にのみ形成されることが好ましい。
【００３６】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【００３７】
なお、実用新案登録請求の範囲に記載の冊子状シートは、例えば前述の実施の形態における外部シート２００及び内部シート３００に対応し、係止部は、例えば係止部４００，４００ａ，４００ｂに対応する。
【符号の説明】
【００３８】
１００  冊子収納用具
２００  外部シート
２００ａ  表紙
２００ｂ  裏表紙
２００ｃ  背部
３００，３０１，３０２，３０３  内部シート
３１１ａ，３１１ｂ，３１２ａ，３１２ｂ，３１３ａ，３１３ｂ  ページシート
４００，４００ａ，４００ｂ  係止部
６００  冊子
８０１  被結合シート
８０２  結合部
【図１】
0003191486.tif 000003
【図２】
0003191486.tif 000004
【図３】
0003191486.tif 000005
【図４】
0003191486.tif 000006
【図５】
0003191486.tif 000007
【図６】
0003191486.tif 000008
【図７】
0003191486.tif 000009
【図８】
0003191486.tif 000010
【図９】
0003191486.tif 000011
【図１０】
0003191486.tif 000012